(57)【要約】【課題】表示装置が設置される壁面と前面板の端部との間の隙間を減少させることができる表示装置を提供する。【解決手段】本考案の表示装置１０は、筐体２８の背面２８Ａに対する前面板２６の４辺の端部２６Ｂの突出量において、前面板２６の端部２６Ｂの前方（矢印ｆ方向）への突出量ａが０以上、５ｍｍ以下に設定される。突出量ａを０に設定することが好ましいが、前面板２６及び筐体２８の製造誤差、前面板２６に対する筐体２８の取り付け誤差等の誤差を考慮して、突出量ａの上限値は５ｍｍ、より好ましくは２ｍｍに設定される。これにより、壁面１６と前面板２６の端部２６Ｂの間の隙間（実質的には突出量ａと同意）が減少する。【選択図】図４
0003194294.tif 000002
【実用新案登録請求の範囲】
【請求項１】
画像を表示する最表面が前面に設けられた表示パネルと、
前記表示パネルの前記最表面にその背面が透明接着剤を介して貼合された透明な前面板と、
前記表示パネルを収容する筐体と、
を備え、
前記前面板の端部の突出量が、前記筐体の背面を基準として前方へ５ｍｍ以下、後方へ５０ｍｍ以下に設定されていることを特徴とする表示装置。
【請求項２】
前記前面板は矩形状であり、４辺の端部のうち少なくとも１辺の端部の突出量が前記突出量に設定されている請求項１に記載の表示装置。
【請求項３】
前記前面板は円形状であり、全周の端部のうち少なくとも一部の円弧の端部の突出量が前記突出量に設定されている請求項１に記載の表示装置。
【請求項４】
前記前面板の前記端部は、湾曲又は折曲されて前記突出量に設定されている請求項１、２又は３に記載の表示装置。
【考案の詳細な説明】
【技術分野】
【０００１】
本考案は、表示装置に関する。
【背景技術】
【０００２】
従来、表示パネルの表示面又は表示面に取り付けられたタッチセンサ（表示面及びタッチセンサを以下、「最表面」という。）を保護するために、最表面にガラス板等の透明面材からなる前面板（「保護板」ともいう。）を、透明樹脂層を介して貼合した表示装置が知られている。
【０００３】
スマートホン及びタブレットＰＣ等のスマートディバイスの表示パネルに、前記前面板（「カバーガラス」ともいう。）を貼合する場合には、前面板は最表面と概ね同サイズ、又は最表面よりも僅かに大きいサイズのものが使用される。
【０００４】
一方、前面板を壁面又は架台に固定できるように、最表面よりも一回り大きなサイズの前面板を表示パネルの最表面に貼合した、前面板付きの表示装置も知られている（特許文献１）。
【０００５】
特許文献１の表示装置は、表示パネルの最表面が、前面板の背面に透明樹脂層を介して直接貼合されているので、コントラストが高く視認性がよい。また、特許文献１の表示装置によれば、表示パネルを収容する筐体（フレーム）が、前面板の背面に固定されている。
【０００６】
特許文献１の表示装置は、交通機関、店舗、ホテル等に設置され、公衆広告を表示する装置として利用される。すなわち、特許文献１の表示装置は、不特定多数の人の利用に供されるため、又は環境的に厳しい条件下で設置される場合が多いため、前面板によって表示パネルの最表面を保護し、かつ表示パネルの全体を筐体によって保護している。
【先行技術文献】
【特許文献】
【０００７】
【特許文献１】特許第４８１５７６８号公報
【考案の概要】
【考案が解決しようとする課題】
【０００８】
ところで、特許文献１に開示された表示装置を、鉄道、バス等の交通機関の車両の壁面に設置しようとした場合には、以下の問題が発生すると考えられる。
【０００９】
すなわち、特許文献１の図２（ｂ）に示すように、前面板が平板であると、少なくとも筐体の厚さ分だけ、壁面と前面板の端部との間に大きな隙間が生じる。つまり、前面板の端部が壁面から大きく離れるため、表示装置の近傍を歩行する乗客の所持物（例えば、ショルダーバックの紐）が、前面板の端部に引っ掛かるおそれがあった。この問題は、特許文献１の図４（ｂ）に示すように、前面板を湾曲させた場合にも同様に発生すると考えられる。
【００１０】
本考案は、このような事情に鑑みてなされたもので、表示装置が設置される壁面と前面板の端部との間の隙間を減少させることができる表示装置を提供することを目的とする。
【課題を解決するための手段】
【００１１】
本考案の一態様は、前記目的を達成するために、画像を表示する最表面が前面に設けられた表示パネルと、前記表示パネルの前記最表面にその背面が透明接着剤を介して貼合された透明な前面板と、前記表示パネルを収容する筐体と、を備え、前記筐体の平坦な背面に対する前記前面板の端部の突出量において、前記前面板の端部の突出量が、前記筐体の背面を基準として前方へ５ｍｍ以下、後方へ５０ｍｍ以下に設定されていることを特徴とする表示装置を提供する。
【００１２】
本考案の一態様によれば、筐体の背面を壁面に直付けする場合には、筐体の平坦な背面に対する、前面板の端部の前方への突出量を０以上、５ｍｍ以下の範囲に設定する。これにより、壁面と前面板の端部との間の隙間を減少させることができる。
【００１３】
また、筐体を壁面に対し離間して配置する場合には、離間距離（筐体の背面から壁面までの距離）を考慮して、筐体の平坦な背面に対する、前面板の端部の後方への突出量を５０ｍｍ以下に設定する。ここで、５０ｍｍは離間距離と同値である。また、範囲を設定する場合には、（離間距離−５ｍｍ）以上、離間距離以下に設定することが好ましい。これにより、壁面と前面板の端部との間の隙間を減少させることができる。
【００１４】
以上により本発明の一態様によれば、前記隙間が減少するので、従来の表示装置にて発生するおそれがある問題を解消することができる。
【００１５】
本考案の一態様は、前記前面板は矩形状であり、４辺の端部のうち少なくとも１辺の端部の突出量が前記突出量に設定されていることが好ましい。
【００１６】
本考案の一態様によれば、前面板が矩形状である場合には、４辺全ての端部の突出量を、本考案で規定する突出量に設定してもよい。一方で、表示装置が設置される壁面には、柱又は桟等によって凸部が存在する場合があるので、その凸部に近接する端部は、前記隙間を考慮する必要がない。このような凸部が壁面に存在する場合には、凸部に近接しない少なくとも１辺の端部の突出量が、本考案で規定する突出量に設定されていればよい。
【００１７】
本発明の一態様は、前記前面板は円形状であり、全周の端部のうち少なくとも一部の円弧の端部の突出量が前記突出量に設定されていることが好ましい。
【００１８】
本考案の一態様によれば、前面板が円形であっても、全周の端部のうち少なくとも一部の端部の突出量が、本考案で規定する突出量に設定されていればよい。
【００１９】
本考案の一態様は、前記前面板の前記端部は、湾曲又は折曲されて前記突出量に設定されていることが好ましい。
【００２０】
本発明の一態様によれば、前面板の端部を、壁面に向けて湾曲又は折曲させたので、本考案に規定する突出量に容易に設定することができる。
【考案の効果】
【００２１】
以上説明したように本考案によれば、表示装置が設置される壁面と前面板の端部との間の隙間を減少させることができる表示装置を提供することができる。
【図面の簡単な説明】
【００２２】
【図１】第１の実施形態の表示装置が鉄道車両の戸袋の室内側壁面に設置された説明図
【図２】第１の実施形態の表示装置の斜視図
【図３】図２に示した表示装置の（Ａ）は正面図、（Ｂ）は上面図、（Ｃ）は側面図
【図４】図３（Ｂ）のＤ部及び図３（Ｃ）のＥ部の拡大図
【図５】第２の実施形態の表示装置の斜視図
【図６】図５に示した表示装置の（Ａ）は正面図、（Ｂ）は上面図、（Ｃ）は側面図
【図７】第３の実施形態の表示装置の斜視図
【図８】図７に示した表示装置の（Ａ）は正面図、（Ｂ）は上面図、（Ｃ）は側面図
【図９】第４の実施形態の表示装置の斜視図
【図１０】図９に示した表示装置の（Ａ）は正面図、（Ｂ）は上面図、（Ｃ）は側面図
【図１１】（Ａ）は前面板の端部を折曲させた表示装置の要部拡大図、（Ｂ）は湾曲した前面板の端部を壁面のフックに係合させた表示装置の要部拡大図
【図１２】第５の実施形態の表示装置の斜視図
【図１３】図１２に示した表示装置の（Ａ）は正面図、（Ｂ）は上面図、（Ｃ）は側面図
【図１４】図１３（Ｃ）のＦ部の拡大図
【図１５】第６の実施形態の表示装置の斜視図
【考案を実施するための形態】
【００２３】
以下、添付図面に従って本考案に係る表示装置の好ましい実施形態について説明する。
【００２４】
図１は、第１の実施形態の表示装置１０が、鉄道車両１２の戸袋１４の室内側壁面１６（以下、単に「壁面１６」という。）に設置された説明図である。
【００２５】
鉄道車両１２内の戸袋１４の近傍は、最も多くの乗客が通過する領域なので、広告機能を発揮する領域としては最適な領域である。実施形態では、このような領域を形成する戸袋１４の壁面１６に表示装置１０を設置して広告機能を向上させている。また、その反面、乗客の所持品等が表示装置１０に引っ掛かるという従来の問題が多発する領域でもあるので、実施形態の表示装置１０では、前記問題を解消するための形状が施されている。なお、図１において、符号１８は扉、符号２０は座席、符号２２は窓である。
【００２６】
［第１の実施形態の表示装置１０の構成］
図２は表示装置１０の斜視図である。図３（Ａ）は表示装置１０の正面図、（Ｂ）は上面図、（Ｃ）は側面図である。図４は、図３（Ｂ）のＤ部及び図３（Ｃ）のＥ部の拡大図である。
【００２７】
表示装置１０は、図３の破線で示す矩形板状の表示パネル２４、４辺の端部２６Ｂが壁面１６に向けて湾曲された平面視矩形状の前面板２６、及び表示パネル２４を収容する直方体形状の筐体２８から構成される。
【００２８】
〔表示パネル２４〕
表示パネル２４としては、液晶表示装置、プラズマ表示装置、又は有機ＥＬ（Electro Luminescence）表示装置等のＦＰＤ（Flat Panel Display）装置を挙げることができる。
【００２９】
表示パネル２４は、その前面に矩形状の最表面３０を備える。この最表面３０に、前面板２６の背面２６Ａが、図４に示す透明樹脂層（透明接着剤）３２を介して貼合される。図４では、最表面３０に貼合される前面板２６の背面２６Ａを、表示パネル２４の表示画像の歪を考慮して平面状に形成しているが、表示画像に悪影響を与えない範囲であれば円弧状に湾曲形成してもよい。
【００３０】
一例として表示パネル２４の最表面３０のサイズは、横４８５ｍｍ×縦２７８ｍｍである。すなわち、表示パネル２４として、２１．５インチのディスプレイを挙げることができる。
【００３１】
〔前面板２６〕
前面板２６は、表示パネル２４の最表面３０を保護し、表示画像を透過する透明面材として機能する。このため前面板２６は、ガラス又はポリカーボネート等の透明樹脂を用いることができ、表示装置１０の設置場所及び用途によって、適切な材質を選択することができる。
【００３２】
図１の如く鉄道車両１２、バス等の交通機関の車両、又は駅構内等の公共的な場所に表示装置１０を設置する場合には、表面に傷がつき難く、強度の点で優れたガラス板を前面板２６として使用することが好ましい。ガラス板を使用する場合、化学強化法によって製造された化学強化ガラスを用いることが好ましい。また、風冷強化法によって製造された風冷強化ガラスを用いることもできる。更に、二枚のガラスを、中間膜を介して積層した合わせガラスを用いることもできる。合わせガラスを用いた場合には、破損時のガラス板の破断を防止することができる。
【００３３】
前面板２６の厚さは特に限定されるものではないが、強度と軽量化の観点からみれば、化学強化ガラスでは厚さ２ｍｍ、通常の非強化ガラスでは厚さ３ｍｍ、風冷強化ガラスでは厚さ４ｍｍ、合わせガラスでは厚さ２ｍｍの２枚の化学強化ガラスを、中間膜を介して積層した厚さのものを適用できる。なお、前記非強化ガラスの場合には、飛散防止フィルムをその表面に貼り付けることが好ましい。
【００３４】
また、前面板２６の前面２６Ｃには反射防止膜（不図示）を成膜することが好ましい。これにより、最表面３０に表示された画像の視認性を向上させることができる。
【００３５】
一例として前面板２６のサイズは、正面方向における投影面で、横６３０．６ｍｍ×縦７２２．１ｍｍである。
【００３６】
〔筐体２８〕
筐体２８は、前面板２６の背面２６Ａに配置され、筐体２８の厚さは、例えば２０〜２５ｍｍ程度である。筐体２８は、防水構造となっており、前面板２６の背面２６Ａと筐体２８との間は、防水性をもつシリコーン樹脂３４（図４参照）によって封止されている。また、筐体２８の平坦な背面２８Ａが、壁面１６に直接設置（直付け）されている。
【００３７】
［表示装置１０の特徴］
図４に示すように、筐体２８の背面２８Ａに対する前面板２６の４辺の２６Ｂの突出量において、端部２６Ｂの前方（矢印ｆ方向）への突出量ａを０以上、５ｍｍ以下に設定したことにある。これにより、壁面１６と前面板２６の端部２６Ｂの間の隙間（実質的には突出量ａと同意）を減少させることができる。突出量ａの上限値は２ｍｍがより好ましい。
【００３８】
なお、実際には、突出量ａを０に設定することが好ましいが、前面板２６及び筐体２８の製造誤差、前面板２６に対する筐体２８の取り付け誤差等の誤差を考慮して、突出量ａの上限値は５ｍｍ、より好ましくは２ｍｍに設定されている。
【００３９】
よって、第１の実施形態の表示装置１０によれば、前記隙間が減少するので、従来の表示装置にて発生するおそれがある問題を解消することができる。
【００４０】
［第２の実施形態の表示装置４０］
図５は、第２の実施形態の表示装置４０の斜視図である。図６（Ａ）は表示装置４０の正面図、（Ｂ）は上面図、（Ｃ）は側面図である。
【００４１】
図２〜図４に示した表示装置１０に対する、表示装置４０の形状の異なる部分は、前面板４２の４辺の端部４２Ｂのうち上下の２辺の端部４２Ｂの突出量を、前記突出量ａに設定した点にある。
【００４２】
前面板２６が矩形状である場合には、表示装置１０の如く４辺全ての端部２６Ｂの突出量を突出量ａに設定してもよい。
【００４３】
一方で、表示装置４０が設置される壁面１６には、柱又は桟等の存在により凸部が存在する場合があるので、その凸部に近接する前面板４２の端部４２Ｂは、端部４２Ｂと壁面１６との隙間を考慮する必要がない。このような凸部が壁面１６に存在する場合には、凸部に近接しない少なくとも１辺の端部４２Ｂの突出量が突出量ａに設定されていればよい。
【００４４】
つまり、前面板４２の形態に限定されず、前面板４２の上辺のみの端部４２Ｂ、下辺のみの端部４２Ｂ、左右の端部のうち少なくとも一方の端部４２Ｂのそれぞれの突出量が突出量ａに設定されていればよい。
【００４５】
［第３の実施形態の表示装置５０］
図７は、第３の実施形態の表示装置５０の斜視図である。図８（Ａ）は表示装置５０の正面図、（Ｂ）は上面図、（Ｃ）は側面図である。
【００４６】
図２〜図６に示した表示装置１０、４０に対する、表示装置５０の形状の異なる部分は、前面板５２が円形であり、その全周の端部５２Ｂの突出量を、前記突出量ａに設定した点にある。
【００４７】
つまり、前面板は、矩形の前面板２６、４２に限定されず、円形の前面板５２であってもよく、楕円の前面板であってもよい。
【００４８】
［第４の実施形態の表示装置６０］
図９は、第４の実施形態の表示装置６０の斜視図である。図１０（Ａ）は表示装置６０の正面図、（Ｂ）は上面図、（Ｃ）は側面図である。
【００４９】
図７、図８に示した表示装置５０に対する、表示装置６０の形状の異なる部分は、円形の前面板５２の上部及び下部の一部を水平方向に切除した前面板６２において、湾曲された左右の円弧状の端部６２Ｂの突出量を、前記突出量ａに設定した点にある。
【００５０】
なお、前面板６２の形態に限定されず、上部のみ、下部のみ、又は左右のうち少なくとも一方の一部を切除した形態の前面板であればよい。つまり、全周の端部６２Ｂのうち少なくとも一部の円弧の端部６２Ｂの突出量が、突出量ａに設定されていればよい。
【００５１】
［変形例］
図１１（Ａ）は、前面板２６の端部２６Ｂを折曲させた表示装置１０の要部拡大図である。同図に示すように、前面板２６を折曲させて端部２６Ｂの突出量を突出量ａに設定することもできる。
【００５２】
図１１（Ｂ）は、湾曲した前面板２６の端部２６Ｂを、壁面１６に取り付けたフック６４に係合させた表示装置１０の要部拡大図である。端部２６Ｂをフック６４に係合させることにより、突出量ａを０に設定することもできる。このフック６４は、前面板２６の辺に沿った長さを有してもよく、辺に沿って複数個所に設けられたものであってもよい。
【００５３】
［第５の実施形態の表示装置７０］
図１２は表示装置７０の斜視図である。図１３（Ａ）は表示装置７０の正面図、（Ｂ）は上面図、（Ｃ）は側面図である。図１４は、図１３（Ｃ）のＦ部の拡大図である。
【００５４】
図５、図６に示した表示装置４０に対する、表示装置７０の形状の異なる部分は、壁面１６に突設された複数本（図１２、図１３では４本）のピン状の支持部７２に前面板７４を支持することにより、筐体２８の背面２８Ａを、壁面１６に対して前方（図１４の矢印ｆ方向）に離間させて配置した点にある。壁面１６に対する背面２８Ａの離間距離ｂは、筐体２８の放熱性及び表示装置７０の出っ張りを抑制することを考慮して０〜５０ｍｍに設定されている。
【００５５】
そして、表示装置７０の前面板７４によれば、筐体２８の背面２８Ａに対する、前面板７４の端部７４Ｂの後方（図１４の矢印ｃ方向）への突出量ｄが５０ｍｍ以下に設定されている。ここで、５０ｍｍは離間距離ｂの最大値と同値である。また、突出量ｄの範囲を設定する場合には、（離間距離ｂ−５ｍｍ）以上、離間距離ｂ以下に設定することが好ましい。これにより、壁面と前面板の端部との間の隙間を減少させることができる。さらに、突出量ｄの最大値は、使用する筐体の厚さ以下がより好ましい。
【００５６】
［第６の実施形態の表示装置８０］
図１５は、表示装置８０の斜視図である。図１２に示した表示装置７０に対する、表示装置８０の異なる部分は、ピン状の支持部７２が前面板７４の前方に突出されておらず、支持部７２の先端部が前面板７４の表面と略面一に配置されている点にある。支持部７２による前面板７４の支持構造としては、前面板７４の四隅に皿穴を加工し、この皿穴に特殊ヒンジボルトを装着する。そして、この特殊ヒンジボルト介して前面板７４を、支持部７２によって支持する構造を挙げることができる（商品名「テンポイント」：旭硝子株式会社）。
【００５７】
表示装置８０によれば、支持部７２の先端が前面板７４から前方に突出されていないので、支持部７２の先端と他の物との接触を防止することができる。
【００５８】
なお、本考案で規定する矩形状又は円形状の前面板２６とは、平面視で矩形状又は円形状と認識されるものであればよく、例えば、一部に切欠き、孔部が存在し、正確には矩形状又は円形状とは言えない形状のものも含むものとする。
【００５９】
実施形態の表示装置１０、４０、５０、６０、７０、８０では、鉄道車両１２に設置される表示装置を例示したが、表示装置の設置場所はこれに限定されるものではない。例えば、他の設置場所としては、バス、航空機等その他の交通機関の内部、駅や空港等の公共設備、壁、柱およびパーティション等が挙げられる。また、壁には、建物の壁、ガラス壁等が挙げられる。
【００６０】
〔産業上の利用分野〕
本実施形態の表示装置は、表示装置を設置または固定することができる場所であれば、屋内および屋外に限定されず、利用できる。
【符号の説明】
【００６１】
１０…表示装置、１２…鉄道車両、１４…戸袋、１６…壁面、１８…扉、２０…座席、２２…窓、２４…表示パネル、２６…前面板、２６Ａ…背面、２６Ｂ…端部、２６Ｃ…前面、２８…筐体、２８Ａ…背面、３０…最表面、３２…透明樹脂層、３４…シリコーン樹脂、４０…表示装置、４２…前面板、４２Ｂ…端部、５０…表示装置、５２…前面板、５２Ｂ…端部、６０…表示装置、６２…前面板、６２Ｂ…端部、６４…フック、７０…表示装置、７２…支持部、７４…前面板、７４Ｂ…端部、８０…表示装置
【図１】
0003194294.tif 000003
【図２】
0003194294.tif 000004
【図３】
0003194294.tif 000005
【図４】
0003194294.tif 000006
【図５】
0003194294.tif 000007
【図６】
0003194294.tif 000008
【図７】
0003194294.tif 000009
【図８】
0003194294.tif 000010
【図９】
0003194294.tif 000011
【図１０】
0003194294.tif 000012
【図１１】
0003194294.tif 000013
【図１２】
0003194294.tif 000014
【図１３】
0003194294.tif 000015
【図１４】
0003194294.tif 000016
【図１５】
0003194294.tif 000017